(57)【特許請求の範囲】
【請求項１】
人体を洗浄するための温水を吐出する吐出ノズルと、前記吐出ノズルおよび前記吐出ノズルに至る温水流路の少なくとも一部を直接的にまたは間接的に高温殺菌する高温殺菌手段と、前記吐出ノズルおよび前記吐出ノズルに至る温水流路に設けた流量制御弁と、前記高温殺菌手段は、高温殺菌モード信号を受けて高温殺菌の動作を制御する高温殺菌制御手段を備え、前記高温殺菌制御手段により前記流量制御弁が所定の流量となるように制御することを特徴とした温水洗浄装置。
【請求項２】
人体を洗浄するための温水を吐出する吐出ノズルと、前記吐出ノズルおよび前記吐出ノズルに至る温水流路の少なくとも一部を直接的にまたは間接的に高温殺菌する高温殺菌手段とを有し、前記高温殺菌手段は、高温殺菌モード信号を受けて高温殺菌の動作を制御する高温殺菌制御手段を備え前記高温殺菌制御手段は、空気加熱手段および空気加圧手段によって発生した高温の空気を前記温水流路から流出させるようにして殺菌することを特徴とする温水洗浄装置。
【請求項３】
高温殺菌手段は、高温の湯を用いて殺菌する請求項１記載の温水洗浄装置。
【請求項４】
加熱手段と、前記加熱手段に接続された給水管と、前記給水管からの水と前記加熱手段により加熱された湯の混合比率を制御する混合弁と、前記混合弁に接続された吐出ノズルと、前記吐出ノズルおよび前記吐出ノズルに至る温水流路に設けた流量制御弁と、前記吐出ノズルおよび前記吐出ノズルに至る温水流路を前記混合弁からの高温の湯により殺菌する動作を制御する高温殺菌制御手段とを備え、前記高温殺菌制御手段により前記流量制御弁が所定の流量となるように制御することを特徴とした温水洗浄装置。
【請求項５】
加熱手段と、前記加熱手段により加熱される湯の温度を検出する湯温検出器と、前記加熱手段により加熱される湯の温度を制御する加熱温度制御手段と、前記加熱手段に接続された給水管と、前記給水管より分岐し前記加熱手段を迂回するバイパス管と、前記バイパス管からの水と前記加熱手段により加熱された湯の混合比率を制御する電気的駆動手段を備えた混合弁と、前記加熱手段に接続された出湯管と前記バイパス管とが合流する温水管と、前記温水管に接続された吐出ノズルと、前記混合弁の下流の温水温度を検出する混合温度検出器と、前記温水管を流れる温水温度を設定する設定器と、前記設定器による設定温度と前記混合温度検出器により検出される温度を比較して、前記混合弁を制御する混合温度制御手段と、高温殺菌モード信号を受けて前記吐出ノズルおよび前記吐出ノズルに至る温水流路を高温の湯により殺菌する動作を制御する高温殺菌制御手段を備えた温水洗浄装置。
【請求項６】
殺菌のための温度を５５℃〜７０℃に設定する請求項１〜５のいずれか１項記載の温水洗浄装置。
【請求項７】
所定の時間間隔毎に、自動的に高温殺菌を行う請求項１〜５のいずれか１項記載の温水洗浄装置。
【請求項８】
高温殺菌時に吐出ノズルからの噴流が人体に当たらないように流量を制御する請求項１〜５のいずれか１項記載の温水洗浄装置。
【請求項９】
高温殺菌時に吐出ノズルからの噴流が人体に到達しないように吐出量を制限する流量制御手段を備えた請求項１〜５のいずれか１項記載の温水洗浄装置。
【請求項１０】
高温殺菌終了後に温度が安全な温度まで低下したことを検知し所定時間経過した時に高温殺菌モードを終了する安全温度終了手段を備えた請求項１〜５のいずれか１項記載の温水洗浄装置。
【請求項１１】
人の有無を検知する人体検知手段と、前記人体検知手段が人体の有を検知しているとき高温殺菌することを禁止する高温殺菌作動禁止手段を備えた請求項１〜５のいずれか１項記載の温水洗浄装置。
【請求項１２】
人体を洗浄するための温水を吐出する吐出ノズルと、前記吐出ノズルおよび前記吐出ノズルに至る温水流路の少なくとも一部を直接的にまたは間接的に高温殺菌する高温殺菌手段と、人の有無を検知する人体検知手段を有し、前記高温殺菌手段は、高温殺菌モード信号を受けて高温殺菌の動作を制御する高温殺菌制御手段を備え、前記人体検知手段が人体の有を検知しているとき高温殺菌することを禁止する高温殺菌作動禁止手段を備えたことを特徴とする温水洗浄装置。
【請求項１３】
加熱手段と、前記加熱手段に接続された給水管と、前記給水管からの水と前記加熱手段により加熱された湯の混合比率を制御する混合弁と、前記混合弁に接続された吐出ノズルと、前記吐出ノズルおよび前記吐出ノズルに至る温水流路を前記混合弁からの高温の湯により殺菌する動作を制御する高温殺菌制御手段と、人の有無を検知する人体検知手段とを備え、前記人体検知手段が人体の有を検知しているとき高温殺菌することを禁止する高温殺菌作動禁止手段を備えたことを特徴とする温水洗浄装置。
【発明の詳細な説明】
技術分野
本発明は、人体を温水で洗浄する温水洗浄装置に関するものである。
背景技術
従来、この種の温水洗浄装置としては、図８に示すようなものがあった（例えば実開昭６１−２６７７６号公報）。
図８において、１は給水タンクであり、ここから水がポンプ２により吸引され、給水管３を通って分岐点４に至る。分岐点４からバイパス管５が分岐され、ヒータ６とタンク温度検出器７を備えた湯タンク８を迂回して、ステッピングモータ１０によって駆動される弁１１を備えた混合装置１２を経て混合室１３において、湯タンク８からの給湯管１４と再び合流している。混合室１３には、混合湯の温度を検出する温度検出器１５が設けられており、ここで検出される温度が所定値となるように、ステッピングモータ１０と弁１１によってバイパス管５を通る流量が制御され、洗浄用のノズル１６へ供給される温水の温度を調節している。
また近年、住環境が高度化し、年間を通じて室内の温度湿度の変化が少なくなっている。このことは反面、菌類やかび類の増殖に適した環境となっている。中でも、便所においては特に顕著である。近年、普及している衛生洗浄便座装置は、暖房便座や水噴出ノズルを備えているため、便座装置が温暖、高湿に保たれる。そのため、便座装置やそれに付随する構成部材にはかびや細菌（たとえば大腸菌やレジオネラ菌等）の増殖による汚染や、ヌメリ状態が発生し、非衛生的になりやすい場合がある。これらの汚染は塩素系やアルコール系の漂白剤、もしくは洗剤で洗浄して清潔にしていた。
しかしながら、洗剤等によって清浄化することができるのは便座装置の外装部材だけであり、便座装置の内部にある通水系を構成する部材の清掃は困難である。このような汚れを長期間放置すると部材が劣化したりまた不潔であるという課題がある。上記のような従来の温水洗浄装置においては、混合装置１２の混合室１３から洗浄用のノズル１６までの通水系は４０℃前後ないし常温であり、比較的かびや細菌の増殖がしやすい温度となり、その汚染された通水系を経た温水で人体局部を洗浄することになるという心配があった。
発明の開示
本発明は、上記課題を解決するもので、長期間使用しても部材に菌類やかび類による汚染が発生せず衛生的であり、特に清掃の困難な通水系内部を衛生的に保つ温水洗浄装置を提供することを目的としたものである。
上記目的を達成するため、第１の発明における温水洗浄装置は、人体を洗浄するための温水を吐出する吐出ノズルと、前記吐出ノズルおよび前記吐出ノズルに至る温水流路の少なくとも一部を直接的にまたは間接的に高温殺菌する高温殺菌手段と、前記吐出ノズルおよび前記吐出ノズルに至る温水流路に設けた流量制御弁と、前記高温殺菌手段は、高温殺菌モード信号を受けて高温殺菌の動作を制御する高温殺菌制御手段を備え、前記高温殺菌制御手段により前記流量制御弁が所定の流量となるように制御することを特徴としたものある。
また第２の発明における温水洗浄装置は、人体を洗浄するための温水を吐出する吐出ノズルと、前記吐出ノズルおよび前記吐出ノズルに至る温水流路の少なくとも一部を直接的にまたは間接的に高温殺菌する高温殺菌手段とを有し、前記高温殺菌手段は、高温殺菌モード信号を受けて高温殺菌の動作を制御する高温殺菌制御手段を備え前記高温殺菌制御手段は、空気加熱手段および空気加圧手段によって発生した高温の空気を前記温水流路から流出させるようにして殺菌するものである。
また第３の発明における温水洗浄装置は、上記第１の発明において、高温の湯を用いて殺菌するものである。
さらに第４の発明における温水洗浄装置は、加熱手段と、前記加熱手段に接続された給水管と、前記給水管からの水と前記加熱手段により加熱された湯の混合比率を制御する混合弁と、前記混合弁に接続された吐出ノズルと、前記吐出ノズルおよび前記吐出ノズルに至る温水流路に設けた流量制御弁と、前記吐出ノズルおよび前記吐出ノズルに至る温水流路を前記混合弁からの高温の湯により殺菌する動作を制御する高温殺菌制御手段とを備え、前記高温殺菌制御手段により前記流量制御弁が所定の流量となるように制御することを特徴としたものである。
さらに第５の発明における温水洗浄装置は、加熱手段と、前記加熱手段により加熱される湯の温度を検出する湯温検出器と、前記加熱手段により加熱される湯の温度を制御する加熱温度制御手段と、前記加熱手段に接続された給水管と、前記給水管より分岐し前記加熱手段を迂回するバイパス管と、前記バイパス管からの水と前記加熱手段により加熱された湯の混合比率を制御する電気的駆動手段を備えた混合弁と、前記加熱手段に接続された出湯管と前記バイパス管とが合流する温水管と、前記温水管に接続された吐出ノズルと、前記混合弁の下流の温水温度を検出する混合温度検出器と、前記温水管を流れる温水温度を設定する設定器と、前記設定器による設定温度と前記混合温度検出器により検出される温度を比較して、前記混合弁を制御する混合温度制御手段と、高温殺菌モード信号を受けて前記吐出ノズルおよび前記吐出ノズルに至る温水流路を高温の湯により殺菌する動作を制御する高温殺菌制御手段とを設けたものである。
さらに第６の発明における温水洗浄装置は、上記第１から第５までの発明のいずれかにおいて、殺菌のための温度を５５℃〜７０℃に設定することを特徴とするものである。
さらに第７の発明における温水洗浄装置は、上記第１から第５までの発明のいずれかにおいて、所定の時間間隔毎に、自動的に高温殺菌を行うことを特徴とするものである。
またさらに第８の発明における温水洗浄装置は、上記第１から第５までの発明のいずれかにおいて、高温殺菌時に吐出ノズルからの噴流が人体に当たらないように流量を制御することを特徴とするものである。
またさらに第９の発明における温水洗浄装置は、上記第１から第５までの発明のいずれかにおいて、高温殺菌時に吐出ノズルからの噴流が人体に到達しないように吐出量を制限する流量制御手段を備えたものである。
またさらに第１０の発明における温水洗浄装置は、高温殺菌終了後に湯の温度が安全な温度に低下したことを検知し所定時間経過した時に高温殺菌モードを終了する安全温度終了手段を備えたものである。
またさらに第１１の発明における温水洗浄装置は、人の有無を検知する人体検知手段と、前記人体検知手段が人体の有を検知しているとき高温殺菌することを禁止する高温殺菌作動禁止手段を備えたものである。
またさらに第１２の発明における温水洗浄装置は、人体を洗浄するための温水を吐出する吐出ノズルと、前記吐出ノズルおよび前記吐出ノズルに至る温水流路の少なくとも一部を直接的にまたは間接的に高温殺菌する高温殺菌手段と、人の有無を検知する人体検知手段を有し、前記高温殺菌手段は、高温殺菌モード信号を受けて高温殺菌の動作を制御する高温殺菌制御手段を備え、前記人体検知手段が人体の有を検知しているとき高温殺菌することを禁止する高温殺菌作動禁止手段を備えたことを特徴とするものである。
またさらに第１３の発明における温水洗浄装置は、加熱手段と、前記加熱手段に接続された給水管と、前記給水管からの水と前記加熱手段により加熱された湯の混合比率を制御する混合弁と、前記混合弁に接続された吐出ノズルと、前記吐出ノズルおよび前記吐出ノズルに至る温水流路を前記混合弁からの高温の湯により殺菌する動作を制御する高温殺菌制御手段と、人の有無を検知する人体検知手段とを備え、前記人体検知手段が人体の有を検知しているとき高温殺菌することを禁止する高温殺菌作動禁止手段を備えたことを特徴とするものである。
【図面の簡単な説明】
第１図は、本発明の実施例１の温水洗浄装置のシステム構成図である。
第２図は、本発明の実施例２の温水洗浄装置のシステム構成図である。
第３図は、本発明の実施例３，４の温水洗浄装置のシステム構成図である。
第４図は、本発明の実施例５の温水洗浄装置のシステム構成図である。
第５図は、本発明の実施例６の温水洗浄装置のシステム構成図である。
第６図は、本発明の実施例７の温水洗浄装置のシステム構成図である。
第７図は、本発明の実施例８の温水洗浄装置のシステム構成図である。
第８図は、従来の温水洗浄装置のシステム構成図である。
発明を実施するための最良の形態
以下本発明の実施例について図面を参照しながら説明する。
（実施例１）
図１は，本発明の実施例１の温水洗浄装置のシステム構成図である。
図１において給水管１７より供給された水は、減圧手段１８および流路を開閉する開閉弁１９を経てヒータ２０を備えた加熱手段２１に至る。加熱手段２１から人体を洗浄するための温水を吐出する吐出ノズル２２に至る温水流路２３には、サーミスタ等にてなる温度検出器２４およびモータ等にてなる電気的駆動手段で駆動される流量制御弁２５が設けられている。
加熱手段２１内のヒータ２０によって加熱された湯の温度は、温度検出器２４によって検出される。加熱温度制御手段２６は、温度検出器２４の出力信号をフィードバックして、予め設定された温度になるようにヒータ２０を制御する。
この温水洗浄装置の操作は、設定器２７によって行われる。設定器２７には、洗浄スイッチ２８、停止スイッチ２９、温度設定スイッチ３０、流量設定スイッチ３１、高温殺菌スイッチ３２が設けられている。通常、温度設定スイッチ３０によって、人体洗浄時の湯の温度は人間にとって快適な４０℃前後に設定されている。
設定器２７に設けられた洗浄スイッチ２８を押すと、制御器３３からの司令によって流量制御弁２５および開閉弁１９の流路が開成される。この時、流量制御弁２５の弁開度は流量設定スイッチ３１で設定された流量に比例しているため、流量設定スイッチ３１で設定された流量の水が吐出ノズル２２から噴出し人体を洗浄する。
洗浄を終えるときには、停止スイッチ２９を押すと、制御器３３からの司令によって、開閉弁１９が閉じられ洗浄を停止する。
また、高温殺菌スイッチ３２を押した場合、制御器３３内の高温殺菌制御手段３４が高温殺菌モード信号を受けて、流量制御弁２５が少量の流量位置になるように、流量制御弁２５の電気的駆動手段を駆動するとともに、湯の温度が６０℃前後になるように加熱温度制御手段２６に指令を出す。すると吐出ノズル２２からは少量の６０℃前後の湯が垂れ落ちる程度になる。この状態において、温水流路２３や流量制御弁２５、および吐出ノズル２２の通水系内部などが所定の時間高温殺菌される。その後、高温殺菌制御手段３４は、湯の温度が４０℃程度になるように加熱温度制御手段２６に指令を出した後、４０℃程度の湯が吐出ノズル２２から吐出するまでの時間が経過するのを待って開閉弁１９を閉止し、高温殺菌モードを終了させる。
従来の温水洗浄装置においては、混合装置１２の混合室１３から洗浄用のノズル１６までの通水系は４０℃前後ないし常温という、比較的かびや細菌の増殖がしやすい温度であったため、その汚染された通水系を経た温水で人体局部を洗浄することになるという心配があった。
以上のように本発明の実施例１によれば、人体を洗浄するための温水を吐出する吐出ノズル２２と、その吐出ノズル２２および吐出ノズル２２に至る温水流路２３を高温殺菌する高温殺菌手段により、清掃が困難な通水系内部も高温殺菌され、菌類やかび類による汚染の発生を防止して、清潔な温水で人体を洗浄できる衛生的な温水洗浄装置を提供することができる。
また高温の湯による殺菌のため、薬剤等による殺菌のように薬剤を補給する手間も不要で、かつ残留薬剤等による副作用の心配もない。
さらに、加熱手段２１は、人体洗浄のために温水にする機能と高温殺菌のために高温の湯にする機能の両方に兼用できるため、装置を大型化したり高い価格にせずに、上記の殺菌効果が実現される。
（実施例２）
図２は、本発明の実施例２の温水洗浄装置のシステム構成図である。
実施例１と特に異なる点は、空気圧発生手段３５および空気加熱手段３６を温水流路２３に接続させるように設け、その空気圧発生手段３５および空気加熱手段３６によって発生した加熱空気が温水流路２３を経て吐出ノズル２２から流出するようにしたところである。なお、実施例１と同一符号のものは同一構造を有し、説明は省略する。
設定器７０に設けられた洗浄スイッチ２８を押すと、制御器６２からの司令によって流量制御弁２５および開閉弁１９の流路が開成される。この時、流量制御弁２５の弁開度は流量設定スイッチ３１で設定された流量に比例しているため、流量設定スイッチ３１で設定された流量の水が吐出ノズル２２から噴出する。
同時に、エアーポンプである空気圧発生手段３５も運転されるので、温水流路２３には加熱手段２１で加熱された温水と空気圧発生手段３５からの空気とが混合された状態でながれ、温度検出器２４および流量制御弁２５を経て、吐出ノズル２２から噴出し人体を洗浄する。
この通常の洗浄時には、温度検出器２４の出力信号が制御器６２にフィードバックされて、予め設定器７０上の温度設定スイッチ３０によって設定された４０℃前後の温度になるように、加熱温度制御手段６８が加熱手段２１内のヒータ２０を制御する。このときもし給水管１７からの水温が冷たすぎる等によって、ヒータ２０による加熱を最大にしても、温度検出器２４での検出温度が温度設定スイッチ３０によって設定された所望の温度以下である場合には、加熱温度制御手段６８から空気圧発生手段３５と空気加熱手段３６とに指令が送られ、空気圧発生手段３５によって加圧された空気が、空気加熱手段３６によって加熱され温水流路２３に混入される。すると吐出ノズル２２からは加熱された加圧空気が混合された温水が噴出する。
このように温水に加熱された加圧空気が混入されることにより、流量の少ない温水でも勢いよく吐出ノズル２２から噴出し人体に当たるので、洗浄効果が高い。したがって節水が可能であるとともに、水を加熱するための電力も少なくてすみ節電もできる。さらに、使用する温水の流量が少ないため、一回の洗浄に必要な温水をあらかじめタンクに加熱して準備しておく、いわゆる貯湯式ではなく、加熱手段２１が瞬間的に加熱する方式を採ることが可能となる。したがって、貯湯式ではできなかった温水温度を任意の温度に随時変更することができるようになる。また、貯湯するためのタンクが不要なので、装置全体を小型化することもできる。
洗浄を終えるときには、停止スイッチ２９を押すと、制御器６２からの司令によって、開閉弁１９が閉じられた後、空気圧発生手段３５および空気加熱手段３６からの加熱された加圧空気が、温水流路２３内に残っている温水を吐出ノズル２２から押し出して排水し、温水流路２３から吐出ノズル２２に至る内部を乾燥させて停止する。
また、設定器７０上の乾燥スイッチ３７を押すと、開閉弁１９は閉じられて水および温水は遮断されたまま、空気加熱手段３６からの加熱された空気が、温水流路２３を経て吐出ノズル２２から噴出し、人体の皮膚表面に当たって乾燥させる。加熱された空気の温度は温度検出器２４から制御器６２にフィードバックされて、加熱温度制御手段６８が空気加熱手段３６をコントロールして適温を保つ。停止スイッチ２９を押せば全ての動作が停止する。
このように、空気圧発生手段３５および空気加熱手段３６によって、洗浄のみならず洗浄後の人体洗浄部を乾燥させる機能も兼ね備えることができ、別に乾燥装置を設けなくてよいため装置全体を小型化できる。しかも、洗浄動作の後、温水流路２３および吐出ノズル２２を乾燥させるため、菌類やかび類による汚染の発生を防止して、温水流路を清潔に保つことができる。
また、高温殺菌スイッチ３２を押した場合は、制御器６２内の高温殺菌制御手段７３が高温殺菌モード信号を受けて、開閉弁１９を閉じたまま、高温の空気が温水流路２３を経て吐出ノズル２２から流出するように、空気圧発生手段３５と空気加熱手段３６とを制御する。その空気の温度は温度検出器２４から制御器６２にフィードバックされて、加熱温度制御手段６８が空気加熱手段３６をコントロールして、その温度を殺菌に適した温度に保つ。この状態において、温水流路２３や流量制御弁２５、および吐出ノズル２２の通水系内部などが所定の時間高温殺菌される。
その後、高温殺菌制御手段７３は空気加熱手段３６を停止させ、空気圧発生手段３５からの常温の空気を用いて温水流路２３を冷却し、温水流路２３が安全な温度まで低下する時間が経過するのを待って高温殺菌モードを終了させる。
以上のように本発明の実施例２によれば、空気圧発生手段３５によって加圧された空気を空気加熱手段３６によって加熱し、温水流路２３に混入させることによって、温水流路２３および吐出ノズル２２を高温の空気で殺菌し、菌類やかび類による汚染が発生せず衛生的に保つことができる。
なお、高温殺菌スイッチ３２を押して、高温の空気が吐出ノズル２２から流出しているときには、吐出ノズル２２の噴流が人体に当たらないような位置に吐出ノズル２２を移動させるため、使用者に高温の空気が当たって熱い不快な思いをさせないよう配慮してある。
（実施例３）
図３は、本発明の実施例３の温水洗浄装置のシステム構成図である。
図３において給水管１７より供給された水は、減圧手段１８および流路を開閉する開閉弁１９を経て分岐点３８に至る。分岐点３８からは、ヒータ２０を備えた湯タンク３９で構成された加熱手段２１および出湯管４０を経て、モータにてなる電気的駆動手段４１を備えた混合弁４２の湯入口４３に入る経路と、分岐点３８からバイパス管４４を経て混合弁４２の水入口４５に入る経路とが構成されている。湯タンク３９には、加熱手段２１のヒータ２０によって加熱された湯の温度を検出するサーミスタにてなる湯温検出器４６が設けられており、その湯温検出器４６の出力信号をフィードバックして、予め設定された温度になるようにヒータ２０を制御する加熱温度制御手段６９が設けられている。
出湯管４０の湯とバイパス管４４の水とが混合弁４２で混合されてできた温水を流量制御弁４８へ送る温水流路２３に、この温水温度を検出する混合温度検出器４９が設けられ、この温水の設定器７１による設定温度と混合温度検出器４９により検出される実際の温度とを比較して、混合弁４２の混合比を調節する混合温度制御手段５０が設けられている。温水流路２３の端部には、モータにてなる電気的駆動手段５１を備えた流量制御弁４８を介して吐出ノズル５２，５３が設けられている。
また、制御器６３内に設けられた高温殺菌制御手段７４は、設定器７１からの高温殺菌モード信号を受けて、流量制御弁４８を制御することで吐出ノズル５２，５３への流量を少量に制限し、混合弁４２を調節して温水の温度を高温にする。吐出ノズル５２，５３は、前者が肛門洗浄用、後者がビデ洗浄用のノズルであり、その切り替えは流量制御弁４８によって行われる。
この温水洗浄装置の操作は、設定器７１によって行われる。設定器７１には、肛門洗浄スイッチ５４、ビデ洗浄スイッチ５５、停止スイッチ２９、温度設定スイッチ３０、流量設定スイッチ３１、高温殺菌スイッチ３２が設けられている。
設定器７１に設けられた肛門洗浄スイッチ５４を押すと、制御器６３からの司令によって流量制御弁４８および開閉弁１９の流路が開成される。この時、流量制御弁４８の弁開度は流量設定スイッチ３１で設定された流量に比例しているため、流量設定スイッチ３１で設定された流量の水が吐出ノズル５２から噴出する。同時に吐出ノズル５２は水圧により突出する。
このとき、予め湯タンク３９内で沸き上げられていた湯と、バイパス管４４を経た水は混合され、混合温度検出器４９で検出される温度が設定器７１の温度設定スイッチ３０で設定した温度になるように、混合弁４２が混合比を調節する。
洗浄を終えるときには、停止スイッチ２９を押すと、制御器６３からの司令によって、開閉弁１９が閉じられ止水が行われるとともに、流量制御弁４８も停止位置に移動する。洗浄水の供給が停止すると、肛門洗浄用の吐出ノズル５２はばねにより収納される。
ビデ洗浄スイッチ５５を押した場合、ビデ洗浄用の吐出ノズル５３が突出して、肛門洗浄の場合と同様に洗浄が行なわれる。
また、高温殺菌スイッチ３２を押した場合は、制御器６３内の高温殺菌制御手段７４が高温殺菌モード信号を受けて、電気的駆動手段４１によって混合弁４２のバイパス管４４側の弁を絞り出湯管４０側の弁を開き、同時に流量制御弁４８が少量の流量位置になるように電気的駆動手段５１を制御する。すると吐出ノズル５２からは加熱手段２１からの少量の高温の湯が垂れ落ちる状態になる。この状態において、温水流路２３や流量制御弁４８、および吐出ノズル５２の通水系内部などが所定の時間高温殺菌される。続いて、吐出ノズル５３側においても同様のことが行われる。さらにその後、高温殺菌制御手段７４は混合弁４２の電気的駆動手段４１によって、温水の温度が４０℃程度になるように混合比を調節し、４０℃程度の温水が吐出ノズル５３から吐出される時間を待って開閉弁１９を閉止し、高温殺菌モードを終了させる。
従来の温水洗浄装置においては、混合装置１２の混合室１３から洗浄用のノズル１６までの通水系は４０℃前後ないし常温という、比較的かびや細菌の増殖がしやすい温度であったため、その汚染された通水系を経た湯水で人体局部を洗浄することになるという心配があった。
以上のように本発明の実施例３によれば、清掃が困難な通水系内部が高温殺菌され、菌類やかび類による汚染が発生せず衛生的に保つことができる。
（実施例４）
本発明の実施例４も、実施例３と同じ図３を用いて説明する。
実施例３と異なる点は、湯の温度が５５℃〜７０℃になるように、加熱温度制御手段６９が加熱手段２１を制御し、混合温度検出器４９の検出温度が５５℃〜７０℃になるように、高温殺菌制御手段７４が混合弁４２を駆動する電気的駆動手段４１を制御するところにある。すなわち実施例４の要点は、高温殺菌の温度を５５℃〜７０℃とする点である。
加熱温度制御手段６９は常に、湯タンク３９内の湯温を５５℃〜７０℃に維持するように、湯温検出器４６で温度を検出しながらヒータ２０を制御する。したがって湯タンク３９内はいつも５５℃〜７０℃で高温殺菌されており、かびや細菌が発生したり増殖したりすることなく、清潔で衛生的に保たれる。
また、高温殺菌スイッチ３２を押した場合は、高温殺菌制御手段７４が高温殺菌モード信号を受けて、電気的駆動手段４１によって混合弁４２のバイパス管４４側の弁を絞り出湯管４０側の弁を開き、同時に流量制御弁４８が少量の流量位置になるように電気的駆動手段５１を制御する。すると吐出ノズル５２からは湯タンク３９からの５５℃〜７０℃の少量の湯が垂れ落ちる状態になる。この状態において、温水流路２３や流量制御弁４８、および吐出ノズル５２の通水系内部などが所定の時間高温殺菌される。続いて、吐出ノズル５３側においても同様のことが行われる。さらにその後、高温殺菌制御手段７４は混合弁４２の電気的駆動手段４１によって、温水の温度が４０℃程度になるように混合比を調節し、４０℃程度の温水が吐出ノズル５３から吐出される時間を待って開閉弁１９を閉止し、高温殺菌モードを終了させる。
本発明の実施例４によれば、５５℃〜７０℃の湯によって清掃が困難な通水系内部が高温殺菌され、菌類やかび類による汚染が発生せず衛生的に保つことができる。それとともに、混合弁４２や流量制御弁４８が故障した場合でも、瞬間やけどの心配がなくなる。
殺菌のための温度として、たとえば食品分野では、ビールの殺菌が５５℃〜６０℃、清酒の殺菌も５５℃〜６０℃、味噌の殺菌が６０℃前後などの例があり、５５℃〜７０℃で十分殺菌作用が期待できる。ちなみに病原細菌の死滅温度は、例えば赤痢菌,腸チフス菌，パラチフス菌，病原性大腸菌，腸炎ビブリオ，ブルセラ菌，連鎖球菌，ブドウ球菌などいずれも６０℃、緑膿菌はさらに低くて５０℃であるといわれている。湯の温度は高いほど高温殺菌作用も大きいが、もし混合弁４２や混合温度検出器４９あるいは流量制御弁４８等が故障した場合、人体に直接高温の湯が噴射されて瞬間やけどをおこす危険性がある。
本発明の実施例４のように湯タンク３９の湯温を５５℃〜７０℃に保つことおよび高温殺菌制御手段３４で混合弁４２による制御温度を５５℃〜７０℃にすることによって、効果的な殺菌効果が得られるとともに、もし混合弁４２および流量制御弁４８が故障して湯タンク３９の湯だけが人体に噴射された場合でも瞬間やけどを避けることができる。
なお、実施例１の場合において５５℃〜７０℃の湯を使用しても、実施例２の場合において５５℃〜７０℃の空気を使用しても同様の効果を得ることができる。
（実施例５）
図４は、本発明の実施例５の温水洗浄装置のシステム構成図である。
実施例３と異なる点は、高温殺菌制御手段７４を所定の時間間隔毎に作動させる自動殺菌タイマー手段５６を設けて、制御器６３を制御器６４としたことである。
本発明の実施例５によれば、設定器７２上にある自動殺菌スイッチ５７を「入」にした場合、制御器６４内の自動殺菌タイマー手段５６が高温殺菌制御手段７４に高温殺菌モード信号を出力することによって、所定の時間間隔毎（たとえば１時間毎）に自動的に、温水経路２３から流量制御弁４８および吐出ノズル５２,５３に至る通水系が高温殺菌され、菌類やかび類による汚染が発生せずいつも衛生的で清潔に保つことができる。
なお、実施例１や実施例２においても、自動殺菌タイマー手段５６を設けて自動的に高温殺菌を行うことにより、同様の効果を得ることができる。
（実施例６）
図５は、本発明の実施例６の温水洗浄装置のシステム構成図である。
実施例３と異なる点は、制御器６５内の高温殺菌制御手段７５の中にさらに流量制御手段５８が設けられたことである。この流量制御手段５８によって、吐出ノズル５２，５３からの噴流が人体に到達しないように流量が制限される。
本発明の実施例６によれば、流量制限手段５８により、吐出ノズル５２，５３からの高温噴流が人体に到達しないように流量制御弁４８によって流量が制限されるので、洗浄中にまちがって高温殺菌スイッチ３２を押しても、使用者が熱く不快な思いをすることや、やけどを負うなどの心配がなく、安全でかつ衛生的な温水洗浄装置を提供することができる。
なお、実施例１や実施例２の場合でも、高温の湯や高温の空気が人体に当たらないように流量を制限することにより、同様の効果を得ることができる。
（実施例７）
図６は、本発明の実施例７の温水洗浄装置のシステム構成図である。
実施例３と異なる点は、制御器６６内の高温殺菌制御手段７６内に安全温度終了手段５９が設けられたことである。この安全温度終了手段５９は、高温殺菌モード終了時に、混合温度検出器４９の検出温度が安全な温度になったことを検知し、所定時間経過した後に開閉弁１９を閉止させる。
本発明の実施例７によれば、安全温度終了手段５９により、高温殺菌モードが作動した直後には人体洗浄を行わせないため、吐出ノズルから熱い湯が吐出するような心配のない安全でかつ衛生的な温水洗浄装置を提供することができる。
なお、実施例１や実施例２の場合でも、高温殺菌終了後、湯や空気の温度が安全な温度に低下するまで人体洗浄を行わせないようにすれば、同様の効果を得ることができる。
（実施例８）
図７は、本発明の実施例８の温水洗浄装置のシステム構成図である。
実施例３と異なる点は、人の有無を検知する人体検知手段６１（例えば、赤外線等を用いた検知装置）が、制御器６７と接続するように設けられ、人体検知手段６１が人体の有を検知しているとき、高温殺菌制御手段７４が高温殺菌の動作を禁止するようにした点である。
本発明の実施例８によれば、人体検知手段６１が人体の有を検知しているとき高温殺菌の動作が禁止されるので、人体に熱い湯が吐出する心配のない安全な温水洗浄装置を提供することができる。
なお、実施例１や実施例２のような場合でも、人体検知手段６１を設け、人体の有を検知しているとき高温殺菌の動作を禁止すれば、同様の効果を得ることができる。
また上記実施例３から実施例８までにおいて、加熱手段２１として湯タンク３９をヒータ２０で沸き上げる方式が採られているが、瞬間湯沸かし式や小さな湯タンクと瞬間湯沸かし式とを組み合わせた方式であってもよい。
また、流量制御弁２５，４８は給水管１７にあってもよいし、単に温水の供給を供給・停止するだけの方式であってもよい。
さらに、混合弁４２は分岐点３８側にあってもよく、あるいは湯水の一方のみおよび双方を調節するいずれの構成でもよい。
なお、温水洗浄装置は、いずれの実施例も衛生洗浄便座装置における例で説明したがそれに限るものではなく、体を洗浄するシャワー装置においても同様の効果を得ることができる。
産業上の利用可能性
以上のように、本発明の第１の発明によれば、清掃が困難な通水系内部も高温殺菌されるので、特に熱に弱い大腸菌やサルモネラ菌などの菌類や、かび類による汚染が発生せず衛生的に保つことができる。
また高温殺菌モード信号を受けて高温殺菌の動作を制御する高温殺菌制御手段を備えているので、操作の煩わしさなしに清掃が困難な通水系内部も高温殺菌され、菌類やかび類による汚染が発生せず衛生的に保つことができる。
また第２の発明によれば、上記第１または第２の発明において、高温の空気を用いて高温殺菌することで、菌類やかび類による汚染が発生せず衛生的に保つことができる。
また第３の発明によれば、上記第１または第２の発明において、高温の湯を用いて高温殺菌することで、菌類やかび類による汚染が発生せず衛生的に保つことができる。
また第４の発明によれば、清掃が困難な通水系内部も高温殺菌され、菌類やかび類による汚染が発生せず衛生的に保つことができる。
また第５の発明によれば、清掃が困難な通水系内部も高温殺菌され、菌類やかび類による汚染が発生せず衛生的に保つことができる。
さらに第６の発明によれば、湯の温度が５５℃〜７０℃に設定されているため、湯がもし人体に触れることがあっても瞬間やけどの心配がなく、かつ効果的に菌類やかび類による汚染を防止できる。
さらに第７の発明によれば、所定時間毎に自動的に高温殺菌が行われるので、菌類やかび類による汚染が発生せずいつも衛生的で清潔に保つことができる。
またさらに第８の発明によれば、吐出ノズルからの噴流が人体に当たらないように流量を制御することにより、高温殺菌動作がいつ作動しても、使用者に熱い不快な思いをさせたり、やけどを負わせるなどの心配なしに、通水系を清潔に保つことができる。
またさらに第９の発明によれば、吐出ノズルからの噴流が人体に到達しないよう吐出量を制限するため、高温殺菌動作がいつ作動しても、使用者に熱い不快な思いをさせたり、やけどを負わせるなどの心配なしに、通水系を清潔に保つことができる。
またさらに第１０の発明によれば、高温殺菌モードが作動した直後には人体洗浄を行わせないため、吐出ノズルから熱い湯が吐出する心配のない安全な温水洗浄装置を提供することができる。
上記第１１、１２，１３の発明によれば、人体検知手段が人体の有を検知しているときは高温殺菌を禁止するため、人体に熱い湯が吐出する心配のない安全な温水洗浄装置を提供することができる。
【図１】
0003708127.tif 000002
【図２】
0003708127.tif 000003
【図３】
0003708127.tif 000004
【図４】
0003708127.tif 000005
【図５】
0003708127.tif 000006
【図６】
0003708127.tif 000007
【図７】
0003708127.tif 000008
【図８】
0003708127.tif 000009
0003708127.tif 000010
0003708127.tif 000011
0003708127.tif 000012